(57)【要約】【課題】  軽量、低コストで容易に大型化を図ることができる照明装置を提供する。【解決手段】  本発明に係る照明装置は、発光素子としてＬＥＤを備える照明装置であって、照射方向に開口を設けたベースシャーシと、該ベースシャーシに取り付けられたＬＥＤ基板と、該ＬＥＤ基板に、該ＬＥＤ基板と平行な方向に光を出射するように取り付けられた複数のＬＥＤと、上記ベースシャーシの開口部に配置された、ＬＥＤの光出社方向と平行な方向に光を伝播する機能を有する拡散板と、該拡散板から所定距離離されて配置された拡散カバーとを有することを特徴とする。【選択図】  図１
2013211245.tif 000002
【特許請求の範囲】
【請求項１】
光源としてのＬＥＤからの光を照明光として照射する照明装置であって、
前記照明光の照射方向に開口を設けたベースシャーシと、
該ベースシャーシに取り付けられた、前記ＬＥＤが搭載されるＬＥＤ基板と、
上記ベースシャーシの開口部に、前記ＬＥＤ基板に対して所定距離離されて配置された、前記ＬＥＤからの光、及び前記ＬＥＤ基板及び／または前記ベースシャーシで反射された光を拡散するための拡散板と、
前記拡散板と所定距離離されて配置された、前記拡散板からの光を更に拡散するための、前記照明装置の外装としての拡散カバーと、備え、
前記ＬＥＤは、前記照射方向と直交する方向であって、前記ＬＥＤ基板と平行な方向に光を出射するように前記ＬＥＤ基板に取付けられており、前記拡散板は、前記ＬＥＤの光出射方向と平行な方向に光を伝播或いは導光する機能を有することを特徴とする照明装置。
【請求項２】
請求項１に記載の照明装置において、前記ＬＥＤ基板のＬＥＤ搭載面及び／または前記ベースシャーシの内面に、光を反射するための白色塗装又は反射シートが設けられることを特徴とする照明装置。
【請求項３】
請求項１に記載の照明装置において、前記ＬＥＤは、サイドビュー型のＬＥＤであり、白色、昼光色、または電球色の光を放出することを特徴とする照明装置。
【請求項４】
請求項１に記載の照明装置において、前記拡散板は、前記ＬＥＤ側の面に、前記ＬＥＤの光出射方向に延びる断面が三角形状の凹凸が形成されており、該三角形状の凹凸により、前記ＬＥＤの光出射方向と平行な方向に光を伝播或いは導光することを特徴とする照明装置。
【請求項５】
請求項１に記載の照明装置において、前記拡散板は、前記ＬＥＤ側の面に、前記ＬＥＤの光出射方向と直交する方向に延びる断面が三角形状の凹凸が形成されており、該三角形状の凹凸により、前記ＬＥＤの光出射方向と平行な方向と直交する方向に光を伝播或いは導光することを特徴とする照明装置。
【請求項６】
請求項１に記載の照明装置において、前記拡散板の前記ＬＥＤと対応する位置に、光の透過量遮光パターンが設けられ、該遮光パターンは、白色のインク又は白色に黒色又は青色インクを混入したインクを前記拡散板に印刷することにより形成されることを特徴とする照明装置。
【請求項７】
請求項１に記載の照明装置において、遮光パターンが印刷されたフィルムを、該遮光パターンが前記ＬＥＤと位置的に対応するように、前記拡散板に貼り付けたことを特徴とする照明装置。
【請求項８】
請求項６に記載の照明装置において、前記遮光パターンは、前記ＬＥＤの光出射方向側に延びる放射状の突起を有することを特徴とする照明装置。
【請求項９】
請求項１に記載の照明装置において、前記ＬＥＤの光出射方向と直交する方向に複数の前記ＬＥＤが配列されたＬＥＤ列を有し、該ＬＥＤ列が、前記ＬＥＤの光出射方向に沿って複数配列されていることを特徴とする照明装置。
【請求項１０】
請求項９に記載の照明装置において、前記各ＬＥＤ列における各ＬＥＤの光出射方向が同じであることを特徴とする照明装置。
【請求項１１】
請求項９に記載の照明装置において、該照明装置の前記ＬＥＤの光出射方向の中心を基準として、一方の側のＬＥＤ列におけるＬＥＤの光出射方向と、他方の側ＬＥＤ列におけるＬＥＤの光出射方向が互いに対向していることを特徴とする照明装置。
【請求項１２】
請求項９に記載の照明装置において、該照明装置の前記ＬＥＤの光出射方向の中心を基準として、一方の側のＬＥＤ列におけるＬＥＤの光出射方向と、他方の側ＬＥＤ列におけるＬＥＤの光出射方向が互いに逆方向であることを特徴とする照明装置。
【請求項１３】
請求項９に記載の照明装置において、２つのＬＥＤ列の背面を互いに対向して配置することによりＬＥＤ列群を構成し、該ＬＥＤ列群を、前記照明装置の前記ＬＥＤの光出射方向の中心を基準として対称配置したことを特徴とする照明装置。
【請求項１４】
請求項９に記載の照明装置において、前記各ＬＥＤ列における隣接するＬＥＤの光出射方向が互いに逆方向であることを特徴とする照明装置。
【請求項１５】
請求項１に記載の照明装置において、前記ベースシャーシの内面形状と相似の形状を有する反射シートが前記ＬＥＤ基板上及び前記ベースシャーシの内面に設けられることを特徴とする照明装置。
【請求項１６】
請求項９に記載の照明装置において、前記ＬＥＤ列における２ｎ−１番目のＬＥＤが第１のＬＥＤ直列回路に直列接続されており、２ｎ番目のＬＥＤが第２のＬＥＤ直列回路に直列接続されており、前記第１のＬＥＤ直列回路と前記第２のＬＥＤ直列回路が並列接続されていることを特徴とする照明装置。
【請求項１７】
請求項１に記載の照明装置において、更に、前記拡散カバーとともに前記照明装置の外装を構成するケースを備え、前記ベースシャーシ、前記ＬＥＤ基板、前記拡散板を含む光源ユニットが、複数個、前記拡散カバーと前記ケースで構成される外装内に収納されることを特徴とする照明装置。
【請求項１８】
請求項１に記載の照明装置において、前記拡散板の光出射面から前記拡散カバーの光入射面までの距離が、前記ベースシャーシの背面から前記拡散板の光射面までの距離の０．５倍〜５倍であることを特徴とする照明装置。
【請求項１９】
光源としてのＬＥＤからの光を照明光として照射する照明装置であって、
平板状のベースシャーシと、
前記ベースシャーシに取付けられ、前記照明光の照射方向に開口を向いた、箱形状、枡形状あるいはトレイ形状に形成された反射シートと、
該反射シートの底面側に取り付けられた、前記ＬＥＤが搭載されるＬＥＤ基板と、
上記反射シートの開口部に、前記ＬＥＤ基板に対して所定距離離されて配置された、前記ＬＥＤからの光、及び前記ＬＥＤ基板及び／または前記反射シートで反射された光を拡散するための拡散板と、
前記拡散板と所定距離離されて配置された、前記拡散板からの光を更に拡散するための、前記照明装置の外装としての拡散カバーと、備え、
前記ＬＥＤは、前記照射方向と直交する方向であって、前記ＬＥＤ基板と平行な方向に光を出射するように前記ＬＥＤ基板に取付けられており、前記拡散板は、前記ＬＥＤの光出射方向と平行な方向に光を伝播或いは導光する機能を有することを特徴とする照明装置。
【請求項２０】
請求項１９に記載の照明装置において、前記反射シートの底面と前記拡散板との間に円筒状のスペーサが設けられ、該円筒状スペーサを介して、前記反射シートと前記拡散板が前記ベースシャーシにネジ止めされて固定されることを特徴とする照明装置。
【発明の詳細な説明】
【技術分野】
【０００１】
本発明は、例えば、液晶表示装置のバックライトや、室内（家屋、公共施設またはエレベータの籠などの室内）の照明に用いられる照明装置に関する。
【背景技術】
【０００２】
本技術分野の背景技術として、特許文献１に記載のものが知られている。この公報には、「開口面に付設された拡散板と、該開口面の反対側の底面に付設された導光板と、反射フィルムが貼付された内側壁面と、底面に反射フィルムが貼付されていることを特徴とする照明枠と、前記導光板の側面端近傍にＬＥＤ光源を設けたことを特徴とする表示体。」と記載されている（要約参照）。
【先行技術文献】
【特許文献】
【０００３】
【特許文献１】特開２０１０−１９９０１２号公報
【発明の概要】
【発明が解決しようとする課題】
【０００４】
上記特許文献１に記載のような、導光板の側面にＬＥＤを配置する技術を、大型の照明装置に用いる場合、導光板の重量を考慮する必要がある。導光板が照明装置の照射面となるため、照射面と略同一の外形状の導光板とする必要がある。また、ＬＥＤが照射する光を導光板の側面より入射させなければならないため、導光板を薄くすることは困難である。よって、照明装置の大型化を図り、発光面積を大きくすると、それに応じて導光板の重量も大きくなってしまう。導光板の重量が大きくなると、それを保持する照明装置の筐体も頑丈にしなければならない。よって、照明装置の大型化を図ると、装置全体の重量が大きくなってしまうことと、それに合わせて部品コストが総じて高くなってしまうというという問題がある。
【０００５】
また導光板の照射面積を大きくした場合、所望の輝度を確保するためには、その分入射する光量を大きくする必要がある。例えば、照射面積を２倍にすると、同じ輝度を確保するためには、導光板に入射する光量を２倍にする必要がある。しかし、照射面積を２倍にした場合、側面の長さは約１．４倍であるため、ＬＥＤの数は１．４倍までしか増やすことができない。このように、導光板の大きさにより配置できるＬＥＤの最大個数が決まってしまうため、導光板の大型化には限界があるという問題がある。
【課題を解決するための手段】
【０００６】
上記課題を解決するために、例えば特許請求の範囲に記載の構成を採用する。
本発明は上記課題を解決する手段を複数含んでいるが、その一例を挙げるならば、光源としてのＬＥＤからの光を照明光として照射する照明装置であって、前記照明光の照射方向に開口を設けたベースシャーシと、該ベースシャーシに取り付けられた、前記ＬＥＤが搭載されるＬＥＤ基板と、上記ベースシャーシの開口部に、前記ＬＥＤ基板に対して所定距離離されて配置された、前記ＬＥＤからの光及び前記ＬＥＤ基板及び／または前記ベースシャーシで反射された光を拡散するための拡散板と、前記拡散板と所定距離離されて配置された、前記拡散板からの光を更に拡散するための、前記照明装置の外装としての拡散カバーと、備え、
前記ＬＥＤは、前記照射方向と直交する方向であって、前記ＬＥＤ基板と平行な方向に光を出射するように前記ＬＥＤ基板に取付けられており、前記拡散板は、前記ＬＥＤの光出射方向と平行な方向に光を伝播或いは導光する機能を有することを特徴とする。
【発明の効果】
【０００７】
本発明によれば、軽量、低コストで、容易に大型化への対応が可能な構成の照明装置を提供することができる。
【図面の簡単な説明】
【０００８】
【図１】実施例１の照明装置の断面図である。
【図２】拡散板を外した状態の光源ブロックをＺ方向から見た平面図である。
【図３】実施例１に係る拡散板２０の構成を示す図であって、拡散板２０による光の伝播を示す図である。
【図４】ＬＥＤの周辺部分の拡散板をＺ方向から見た図である。
【図５】ＬＥＤの発光中心を通るＹＺ面におけるＺ方向に出射する光の輝度分布をシミュレーションした結果を示す図である。
【図６】実施例２の照明装置の断面図である。
【図７】実施例３の照明装置の断面図である。
【図８】実施例４の照明装置の断面図である。
【図９】拡散板を外した状態の光源ブロックをＺ方向から見た平面図である。
【図１０】実施例５の照明装置の断面図である。
【図１１】拡散板を外した状態の光源ブロックをＺ方向から見た平面図である。
【図１２】実施例６の照明装置の断面図である。
【図１３】拡散板を外した状態の光源ブロックをＺ方向から見た平面図である。
【図１４】ＬＥＤの周辺部分の拡散板をＺ方向から見た図である。
【図１５】実施例７の照明装置の断面図である。
【図１６】実施例８の照明装置の断面図である。
【図１７】実施例９の照明装置の断面図である。
【図１８】実施例１０の照明装置の断面図である。
【図１９】実施例１０に係る光源ブロックを、拡散板を外した状態でＺ方向から見た平面図である。
【図２０】実施例１１に係るＬＥＤ列の回路構成或いは接続構成を示す図である。
【図２１】実施例１１に係るＬＥＤ列の回路構成或いは接続構成の他の例を示す図である。
【図２２】実施例１２に係る拡散板２１の構成を示す図であって、拡散板２１による光の伝播を示す図である。
【発明を実施するための形態】
【０００９】
以下、本発明の実施の形態について、図面を参照しながら説明する。以下において、出現する核構成要素のうち同一機能または作用を有するものには同じ番号を付し、重複した説明を省略するものとする。
【実施例１】
【００１０】
先ず、本発明の実施例１について、図１〜図５を参照して説明する。図１は、本発明の一実施例における照明装置１００の断面図である。
【００１１】
照明装置１００は、光源ブロック２００と、外装となるハウジング３００とを有して構成される。図１においては、照明装置１００が図示しない天井などに取り付けられた状態を示しており、Ｚ方向（下方向）に照明光を照射する。すなわちＺ方向が照明装置の照明光の照射方向である（照明装置からの照明光は拡散し様々な方向に照射されるが、ここではＺ方向を照射方向とする）。ハウジング３００は、Ｚ方向に開口を持つ例えば樹脂製のケース７０と、その開口部に固定保持される光透過性を有する拡散カバー６０を備える。すなわち、ケース７０と拡散カバー６０とで照明装置の外装となるハウジング３００が構成される。光源ブロック２００は、ハウジング３００の内部に配置され、例えばネジ止めによりケース７０に固定される。拡散カバー６０は、例えば透明樹脂に拡散性のビ−ズを混入させた部材、または透明樹脂の表面に粗面加工を施した部材で形成されており、図示のように光源ブロック２００の拡散板２０から所定の距離（空間）離されて設けられている。光源ブロック２００から照射される光は、拡散カバー６０を透過する際に拡散され照明装置１００の外部に照射される。
【００１２】
光源ブロック２００は、ベースシャーシ１０、光透過性を有する拡散板２０、光源としての発光ダイオード（ＬＥＤ）３０、ＬＥＤ基板４０を備える。拡散板２０は、拡散カバー６０と同様に、例えば透明樹脂に拡散性のビ−ズを混入させた部材、または透明樹脂の表面に粗面加工を施した部材で形成されており、ＬＥＤ基盤４０に対して所定の距離（空間）離されて配置されている。ベースシャーシ１０はＺ方向に開口をもち、その開口面積が照射方向に従って大きくなる箱形状、枡形状あるいはトレイ形状を有しており、光源ブロック２００の筐体となるものである。また、ベースシャーシ１０の開口部を覆うように拡散板２０を配置している。拡散板２０は、ベースシャーシ１０の開口部側の４辺（縁）と結合するように、例えば接着剤や両面テープ等で取付けられている。ＬＥＤ基板４０は、ベースシャーシ１０に例えばネジ止めにより固定される。
【００１３】
ＬＥＤ３０は、例えば電極面と平行な方向に光を出射するサイドビュー型のＬＥＤであり、照明光として例えば白色、昼光色、或いは電球色の光を発光する。ＬＥＤ３０を色温度の高い（例えば７０００度〜９０００度）白色光を放出するＬＥＤとし、拡散カバー６０を着色することで照明光を昼光色或いは電球色としてもよい。ＬＥＤ３０は、ＬＥＤ基板４０に、Ｚ方向に突出するように多数取付けられている。またＬＥＤ３０は、主に照明装置の光照射方向（Ｚ方向）と直交し、ＬＥＤ基板４０と平行な方向（Ｙ方向）に強い照明光を発光するよう、取付け方向が定められている。すなわち、本実施例では、ＬＥＤ３０の光軸がＹ方向と平行とされている。拡散板２０のＬＥＤ３０近傍には後述する遮光パターン９０が設けられている。
【００１４】
なお、ベースシャーシ１０の外周部は、図に示すように斜めに立ち上げており、ベースシャーシ１０の外周部に漏れてくる光をＺ方向に反射させて、輝度の向上を図っている。このとき、ベースシャーシ１０の内側面を、例えば白色塗装などを施して反射率を高くしている。これに代えて、反射シートをベースシャーシ１０の内面に貼り付けるようにしてもよい。またベースシャーシ１０は、ＬＥＤ３０の発熱を放熱し易くするようにアルミニウム等の金属で構成してもよいし、また樹脂で構成してもよい。
【００１５】
図２は、拡散板２０を外した状態の光源ブロック２００をＺ方向から見た平面図である。図２に示す破線矢印は、ＬＥＤ３０からの光の出射方向であり、図２に示すように、Ｙ方向と平行である。ＬＥＤ３０の光の出射方向を同一方向にして、ＬＥＤ３０−１、ＬＥＤ３０−２、ＬＥＤ３０−３、ＬＥＤ３０−４が配置される。このＬＥＤ３０−１、ＬＥＤ３０−２、ＬＥＤ３０−３、ＬＥＤ３０−４の配置は、Ｘ方向に同様に並べられる。すなわち、本実施形態では、光出射方向を同一にした複数のＬＥＤ３０を、ＬＥＤ３０の光出射方向と直交するＸ方向に複数（図２の例では６個）配列して構成されたＬＥＤ列を、Ｙ方向に所定間隔で複数配列（図２の例では４列）したものである。当然、Ｘ方向のＬＥＤ個数及びＹ方向のＬＥＤ列数はこれに限られるものではない。
【００１６】
ＬＥＤ３０−１は、最左段の照明ブロック８０−１に設けられ、同様にＬＥＤ３０−２は次の段の照明ブロック８０−２に、ＬＥＤ３０−３はその次の段の照明ブロック８０−３に、ＬＥＤ３０−４はその次の段の照明ブロック８０−４に設けられる。また各照明ブロック８０−１〜４のそれぞれにおける拡散板２０の下面（光出射面）には、図１に示されるように、後述の遮光パターン９０−１〜４が設けられている。ここで、照明ブロック８０は、１つのＬＥＤ列（例えばＬＥＤ３０−１列）と、このＬＥＤ列から次段のＬＥＤ列（例えばＬＥＤ３０−２列）までの空間と、その空間に対応するを拡散板２０の領域、及びその領域に設けられた遮光パターン９０を含むものとする。また、ＬＥＤ基板４０のＬＥＤ３０搭載面を反射面として光の伝搬に使用しているため、ＬＥＤ基板４０は反射率の高い白色基板を用いるとよい。また、ＬＥＤ基板４０のＬＥＤ３０搭載面側を白色塗装などを施して反射率を高くしてもよい。白色塗装に代えて、反射シートをＬＥＤ基板４０のＬＥＤ３０搭載面に設けてもよい。
【００１７】
次に、ＬＥＤ３０の光の伝搬について説明する。図３（ａ）は、光の伝搬を説明するための、１つの照明ブロック８０をＸ方向から見た断面図、すなわちＹＺ平面の断面図である。ＬＥＤ３０から出射した光は、拡散板２０とＬＥＤ基板４０の間の空間を反射、拡散しながら拡散板２０から出射されつつＹ方向に伝搬される。図３（ｂ）はＹ方向から見た断面図、すなわちＸＺ平面の断面図である。図に示すように、拡散板２０は、そのＬＥＤ３０（Ｚ方向上）側の面（光入射面）にＸ方向の断面が三角形状の凸部及び凹部（プリズム）を有する。この三角形状の凸部及び凹部は、Ｘ方向に複数配列されており、かつＹ方向に延びて形成されている。これによって、ＬＥＤ３０から出射された光を、三角形状の凹部内で反射させながらＹ方向に伝搬するようにしている。すなわち、本実施例に係る拡散板２０は、光の拡散機能を有するとともに、Ｙ方向（ＬＥＤ３０の光出射方向、すなわちＬＥＤ３０の光軸方向）に光を伝播或いは導光する機能を併せ持っている。本実施例では、光を伝播或いは導光する機能を三角形状の凹凸により行うようにしているが、他の構成としてもよい。
【００１８】
なお、拡散板２０のＬＥＤ３０直下及びＬＥＤ３０の光出射側近傍と対応する位置においては、光が局所的に集中し、スポット的に輝度の高い部分（以降、これをホットスポットと言う）が生じてしまい、これが輝度むらの原因となる。かかるホットスポットを低減するために、本実施例では、図３に示されるように拡散板２の出射面側に遮光パターン９０を設けている。
【００１９】
図４は、ＬＥＤ３０の周辺部分について、拡散板２０をＺ方向の下側から見た図である。図４（ａ）に示すように、本実施例に係る遮光パターン９０は、例えば白色のインクにより構成されており、拡散板２０の下面側（すなわち光出射面側）に白色インクを塗装する（印刷する）ことにより遮光パターン９０を拡散板２０の下面側に設けている。これによって、拡散板２０からＺ方向（下方向）に向かう光を反射または吸収により遮光または減光するようにしてホットスポットの光強度を低減する。遮光パターン９０に使われるインクは白色のみではなく、例えば黒色インクや青色インクを白色インクに混入したものであってもよい。また遮光パターン９０の形状は、図４（ａ）に示されるように、ＬＥＤ３０を中心にして放射状に延びる突起を有するものであってもよい。ここで、ＬＥＤ３０の光出射方向に対応する側の突起が、ＬＥＤ３０の背面（光出射面と反対側の面）に対応す突起よりも長さが長いものとする。また、図４（ｂ）に示されるように、円形、楕円形、長円形状であってもよい。いずれにせよ、遮光パターン９０は、ＬＥＤ３０の直下及び出射面近傍の所定領域をカバーするような形状及び大きさを有するものであればよく、形状は上記の例に限られるものではない。
【００２０】
なお、上記においては、拡散板２０に直接印刷した例を示しているが、例えば、遮光パターン９０を印刷した透明フィルムを、遮光パターン９０がＬＥＤ３０と位置的に対応するように拡散板２０に貼り付ける構成でもよい。また、図４（ｂ）に示すように、遮光性を有するシートにより、隣り合うＬＥＤ３０の間の幅を小さくし、ＬＥＤ３０部の幅を大きくした帯状の遮光パターン９０’を拡散板２０に貼りつける構成としてもよい。
【００２１】
さらに本実施例では、拡散板２０より所定距離Ｈ１だけ離れた位置に拡散機能を持つ拡散カバー６０を配置している。この距離Ｈ１は、拡散板２０の表面（光出射面）から拡散カバー６０の内面（光入射面）までの距離であり、例えば光源ブロックの厚さ（ベースシャーシ１０の背面から拡散板２０の光射面までの距離）の０．５倍〜２倍程度とする。しかしながら、これに限られるものではない。拡散板２と拡散カバー６０を用いてＬＥＤ３０からの光を２段階で拡散することによって、照明装置１００の輝度の均一化を図っている。
【００２２】
図５は、ＬＥＤ３０の発光中心を通るＹＺ面におけるＺ方向に出射する光の輝度分布をシミュレーションした結果を示す図である。横軸は、ＬＥＤ光源から出射される光の進行方向（Ｙ方向）、縦軸は、輝度（対数）を示す。図５において、Ｌ１は、遮光パターン９０がない場合の拡散板２０から出射する輝度値を示したものである。ＬＥＤ３０−１近傍に輝度値のピークＰ１ができ、ＬＥＤ３０−１から遠く離れるにつれて輝度は小さくなり、次のＬＥＤ３０−２の背後付近で最低の輝度値となる。ＬＥＤ３０−１近傍は、ＬＥＤ３０−１からの直接光とＬＥＤ基板４０からの反射光が強いため、局所的に輝度が高い状態（ホットスポット）となる。このＬＥＤ３０−１近傍のホットスポットを抑えるために、ＬＥＤ３０−１の近傍の拡散板２０に遮光パターン９０を設けている。Ｌ２は遮光パターン９０がある場合の輝度値を示したものである。図に示すように、遮光パターン９０により、ピークＰ１が抑えられ、また遮光パターン９０により反射した光が、さらにＹ方向に伝搬するため、他の部分の輝度値が上がっている。Ｌ３は、拡散カバー６０から出射する輝度値を示したものである。図に示すように拡散板２０部における輝度むらは、拡散カバー６０により小さくなり、輝度の均一化を図ることができる。
【００２３】
本実施例に係る照明装置を室内照明に用いる場合、室内照明では多少の輝度不均一性は許容されるので、上記拡散板２と拡散カバー６０である程度の輝度均一化が為されれば、上述した遮光パターン９０は設けなくてもよい。
【００２４】
以上のように、本実施例においては、拡散板２０とＬＥＤ基板４０の間の空気層にて光を伝搬しているため、導光板を用いることなく軽量化を図ることができる。また、照明ブロック８０を複数組み合わせて構成されているので、照明ブロック８０の数（段）を増やせば、Ｙ方向への大型化を図ることができ、また、照明ブロック８０に設けられるＬＥＤ３０の数を増やせば、Ｘ方向への大型化を図ることができる。
【００２５】
上述した実施例において、例えばユーザの指示に応じて全ての照明ブロック８０からの光が点灯または消灯されるものとする。しかしながら、照明ブロック８０−１〜４のうち任意の１〜３つの照明ブロックを個別に点灯または消灯されるようにしてもよい。例えば、室内が明るくユーザが高い照明輝度を要求していない場合は、ユーザの指示（例えば「一部点灯」の指示）に応じて、照明ブロック８０−１〜４のうち１つ（例えば８０−２のみ）または２つ（例えば８０−２及び３のみ）の明ブロックを点灯させ、残りを消灯させるようにしてもよい。部屋が暗い場合は、例えばユーザが「全点灯」を指示することで、照明ブロック８０−１〜４の全てを点灯させるようにしてもよい。
【００２６】
また、照明ブロック８０−１〜４のそれぞれを、例えば２つのＬＥＤ３０ごとに区分して３つの領域に分割し（図２の例では３つの領域に分割）、この領域毎に個別に点灯または消灯させてもよい。
【００２７】
更にまた、点灯／消灯のみならず、照明ブロック８０−１〜４の全て或いはそれぞれに調光機能を持たせてもよく、ユーザの指示に応じて照明ブロック８０の全て或いはそれぞれからの照明光の強度を調整するようにしてもよい。
【実施例２】
【００２８】
次に、本発明の実施例２について、図６を参照して説明する。図６は、本発明の実施例２における照明装置１０１の断面図である。  実施例２の照明装置１０１に用いられる光源ブロック２０１においては、ＬＥＤ基板４１は、実施例１と同様にベースシャーシ１０に例えばネジ止めにより固定される。ＬＥＤ３０は、ＬＥＤ基板４１に、Ｚ方向に突出するように多数取付けられており、光の出射方向は、Ｙ方向と並行である。最左段の照明ブロック８０−１及び、その次の段の照明ブロック８０−２に設けられたＬＥＤ３０−１、ＬＥＤ３０−２の光の出射方向は、実施例１と同様にＹ方向の＋側である。次の段の照明ブロック８０−３及び、その次の段の照明ブロック８０−４に設けられたＬＥＤ３０−３、ＬＥＤ３０−４の光の出射方向は、実施例１とは逆方向であるＹ方向の−側である。つまり、本実施例では、照明装置のＹ方向（光出射方向と平行な方向）の中心を基準にして、左右のＬＥＤの光出射方向が照明装置のＹ方向中央を向くように互いに対向させているものである。
【００２９】
このＬＥＤ３０−１、ＬＥＤ３０−２、ＬＥＤ３０−３、ＬＥＤ３０−４の配置は、Ｘ方向に同様に並べられる。ＬＥＤ基板４１は、実施例１のＬＥＤ基板４０と同様に、反射率の高い白色基板を用いるとよい。また、ＬＥＤ基板４１のＬＥＤ３０搭載面側を白色塗装などを施して反射率を高くしてもよい。これに代えて反射シートをＬＥＤ基板４０のＬＥＤ３０搭載面に設けてもよい。拡散板２０に設けられている遮光パターン９０も、ＬＥＤ３０位置及びその光の出射方向に合わせてある。
【００３０】
なお、上記説明では、照明ブロック８０が４段の場合について説明したが、６段の場合は、左側３段に配置されるＬＥＤ３０の光の出射方向をＹ方向＋側、右側３段に配置されるＬＥＤ３０の光の出射方向をＹ方向−側とすればよい。照明ブロック８０の数が奇数の場合は、中央の段のＬＥＤ３０の光の出射方向はどちらでもよい。
【００３１】
拡散カバー６０、ケース７０からなるハウジング３００は、実施例１の照明装置１００と同じであるため説明は省略する。
【００３２】
上述した実施例１では、全てのＬＥＤ列からの光が左から右に出射されるため、最右側の照明ブロック８０−４への光の供給量は、ＬＥＤ３０−１〜４列の光が積算されることにより照明ブロックの中で最も大きくなる。この結果、実施例１では、相対的に右側の照明ブロック（８０−３，４）からの光の輝度が左側の照明ブロック（８０−１，２）からの光の輝度よりも相対的に高く、照明装置の照射面側から見た輝度分布が左右非対称となって、照明光の明るさに偏りが生じる。一方、実施例２の構成によれば、左右のＬＥＤ列の光が照明装置の中央部に向けて出射されるため、照明装置の照射面側から見た輝度分布は、Ｙ方向の中央が最も明るく、かつ左右対称となる。すなわち、実施例２の構成によれば、照明装置において、より好ましい輝度分布を得ることができる。
【００３３】
以上のように、実施例２の照明装置１０１においては、実施例１の照明装置１００と同様に、拡散板２０とＬＥＤ基板４１の間の空気層にて光を伝搬しているため、導光板を用いることなく軽量化を図ることができる。また、照明ブロック８０を複数組み合わせて構成されているので、照明ブロック８０の数（段）を増やせば、Ｙ方向への大型化を図ることができ、また、照明ブロック８０に設けられるＬＥＤ３０の数を増やせば、Ｘ方向への大型化を図ることができる。また、光源ブロック２０１の中心を含むＸＺ平面に対して、ＬＥＤ３０を対象に配置していることから、輝度むらもＹ方向の中心を基準に対象になるので、輝度むらが認識しにくいという効果もある。照明ブロック毎の光の制御は実施例１と同様に行えることは言うまでも無い。
【実施例３】
【００３４】
次に、本発明の実施例３について、図７を参照して説明する。図７は、本発明の実施例３における照明装置１０２の断面図である。  実施例３の照明装置１０２に用いられる光源ブロック２０２においては、ＬＥＤ基板４２は、実施例１と同様にベースシャーシ１０に例えばネジ止めにより固定される。ＬＥＤ３０は、ＬＥＤ基板４２に、Ｚ方向に突出するように多数取付けられており、光の出射方向は、Ｙ方向と並行である。
【００３５】
最左段の照明ブロック８０−１及び、その次の段の照明ブロック８０−２に設けられたＬＥＤ３０−１、ＬＥＤ３０−２の光の出射方向は、実施例１とは逆方向のＹ方向の−側である。次の段の照明ブロック８０−３及び、その次の段の照明ブロック８０−４に設けられたＬＥＤ３０−３、ＬＥＤ３０−４の光の出射方向は、実施例１と同様にＹ方向の＋側である。このＬＥＤ３０−１、ＬＥＤ３０−２、ＬＥＤ３０−３、ＬＥＤ３０−４の配置は、Ｘ方向に同様に並べられる。すなわち、本実施例では、実施例２とは逆に、照明装置のＹ方向（光出射方向と平行な方向）の中心を基準にして、左右のＬＥＤの光出射方向が照明装置の左右端部側（外側）を向くよう互いに逆向きにさせているものである。
【００３６】
ＬＥＤ基板４２は、実施例１のＬＥＤ基板４０と同様に、反射率の高い白色基板を用いるとよい。また、ＬＥＤ基板４２のＬＥＤ３０搭載面側を白色塗装などを施して反射率を高くしてもよい。これに代えて反射シートをＬＥＤ基板４０のＬＥＤ３０搭載面に設けてもよい。拡散板２０に設けられている遮光パターン９０も、ＬＥＤ３０位置、光の出射方向に合わせてある。
【００３７】
かかる実施例３の構成によれば、実施例２と同様に照明装置の照射面側から見た輝度分布が左右対称となる。また本実施例ではＬＥＤ列が２列中央に集中して配列されているために中央側のホットスポットの輝度が最も大きくなる、よって、この実施例３でも照明装置の中央側の輝度を高くすることができる。
【００３８】
なお、上記説明では、照明ブロック８０が４段の場合について説明したが、６段の場合は、左側３段に配置されるＬＥＤ３０の光の出射方向をＹ方向−側、右側３段に配置されるＬＥＤ３０の光の出射方向をＹ方向＋側とすればよい。照明ブロック８０の数が奇数の場合は、中央の段のＬＥＤ３０の光の出射方向はどちらでもよい。
【００３９】
拡散カバー６０、ケース７０からなるハウジング３００は、実施例１の照明装置１００と同じであるため説明は省略する。
【００４０】
以上のように、実施例３の照明装置１０２においては、実施例１の照明装置１００と同様に、拡散板２０とＬＥＤ基板４２の間の空気層にて光を伝搬しているため、導光板を用いることなく軽量化を図ることができる。また、照明ブロック８０を複数組み合わせて構成されているので、照明ブロック８０の数（段）を増やせば、Ｙ方向への大型化を図ることができ、また、照明ブロック８０に設けられるＬＥＤ３０の数を増やせば、Ｘ方向への大型化を図ることができる。また、光源ブロック２０１の中心を含むＸＺ平面に対して、ＬＥＤ３０を対象に配置していることから、輝度むらもＹ方向に対象になるので、実施例２と同様に、輝度むらが認識しにくいという効果もある。照明ブロック毎の光の制御は実施例１と同様に行えることは言うまでも無い。
【実施例４】
【００４１】
次に、本発明の実施例４について、図８及び９を参照して説明する。図８は、本発明の実施例４における照明装置１０３の断面図である。図９は、実施例４に係る照明装置１０３について、拡散板２０を外した状態の光源ブロック２０３をＺ方向から見た平面図である。本実施例では、実施例１〜３とは異なり、ＬＥＤ３０−１〜４に対して、それぞれ別のＬＥＤ基板４３−１〜４を用いている。
【００４２】
実施例４の照明装置１０３に用いられる光源ブロック２０３においては、ＬＥＤ基板４３は、実施例１と同様にベースシャーシ１０に例えばネジ止めにより固定される。最左段の照明ブロック８０−１にはＬＥＤ基板４３−１が設けられ、ＬＥＤ基板４３−１にはＬＥＤ３０−１がＺ方向に突出するように多数取り付けられている。同様に、その次の段の照明ブロック８０−２にはＬＥＤ基板４３−２が設けられ、ＬＥＤ基板４３−２にはＬＥＤ３０−２がＺ方向に突出するように多数取り付けられている。照明ブロック８０−３、照明ブロック８０−４も同様である。ＬＥＤ３０の光の出射方向は、実施例１と同様に全てＹ方向の＋側である。ＬＥＤ３０から出射した光は、拡散板２０とベースシャーシ１０との間の空間を反射、拡散しながら拡散板２０から出射されつつＹ方向に伝搬される。ベースシャーシ１０の内側面は、実施例１と同様に、例えば白色塗装などを施して反射率を高くしている。また、ベースシャーシ１０の底面（ＬＥＤ基板４３と対向する面）の内側全面に反射シートを敷き、この上にＬＥＤ基板４３−１〜４を配置してもよい。このとき、ＬＥＤ基板４３−１〜４にもＬＥＤ搭載面をカバーするように反射シートを設けてもよいし、また白色塗装を施してもよい。
【００４３】
拡散カバー６０、ケース７０からなるハウジング３００は、実施例１の照明装置１００と同じであるため説明は省略する。
【００４４】
上述した実施例１〜３では、ＬＥＤ３０〜１〜４列を全て１つのＬＥＤ基板４０に実装したが、本実施例では、ＬＥＤ３０〜１〜４の各列を、それぞれ、物理的に分割されたＬＥＤ基板４３−１〜４に実装している。ＬＥＤ基板４３−１〜４は、図９に示されるようにＸ方向を長手方向とした細長の長方形状で、その幅（Ｙ方向寸法）はＬＥＤ３０の幅よりも若干大きい幅を有しており、実施例１のＬＥＤ基板４０に比べて十分に小面積である。ＬＥＤ基板４３の各幅寸法は、例えば１〜１０ｃｍ程度であるが、これに限られるものではない。このようなＬＥＤ基板４３を用いれば、ＬＥＤ基板のコストと重量を低減でき、以って、照明装置のコスト及び重量を低減できる。
【００４５】
以上のように、本実施例においては、拡散板２０とベースシャーシ１０の間の空気層にて光を伝搬しているため、導光板を用いることなく軽量化を図ることができる。また、照明ブロック８０を複数組み合わせて構成されているので、照明ブロック８０の数（段）を増やせば、Ｙ方向への大型化を図ることができ、また、照明ブロック８０に設けられるＬＥＤ３０の数を増やせば、Ｘ方向への大型化を図ることができる。さらには、ＬＥＤ基板４３の面積を小さくできるため、その分の軽量化を図ることができる。照明ブロック毎の光の制御は実施例１と同様に行えることは言うまでも無い。
【実施例５】
【００４６】
次に、本発明の実施例５について、図１０及び図１１を参照して説明する。図１０は、本発明の実施例５における照明装置１０４の断面図である。図１１は、実施例５に係る照明装置１０４について、拡散板２０を外した状態の光源ブロック２０４をＺ方向から見た平面図である。
【００４７】
実施例５の照明装置１０４に用いられる光源ブロック２０４においては、ＬＥＤ基板４４は、実施例１と同様にベースシャーシ１０に例えばネジ止めにより固定される。最左段の照明ブロック８０−１と次の段の照明ブロック８０−２に配置されるＬＥＤ３０−１、ＬＥＤ３０−２は、ＬＥＤ基板４４−１にＺ方向に突出するように多数取り付けられている。照明ブロック８０−３と次の段の照明ブロック８０−４に配置されるＬＥＤ３０−３、ＬＥＤ３０−４は、ＬＥＤ基板４４−２にＺ方向に突出するように多数取り付けられている。奇数ブロックのＬＥＤ３０−１、ＬＥＤ３０−３の光の出射方向はＹ方向−側、偶数ブロックのＬＥＤ３０−２、ＬＥＤ３０−４の光の出射方向はＹ方向＋側としている。すなわち、本実施例では、互いに逆方向に光を出射する２列のＬＥＤ列の背面を互いに対向させて近接配置してＬＥＤ列群を構成し、照明装置のＹ方向（光出射方向と平行な方向）の中心を基準にして、該ＬＥＤ列群を左右対称に配置したものである。各ＬＥＤ列群におけるＬＥＤ列同士の間隔（ＬＥＤ３０の背面間の間隔）は、ＬＥＤの幅寸法（Ｙ方向寸法）の大よそ０．５倍〜３倍程度とするが、これに限られるものではない。各ＬＥＤ列群に対して、それぞれ別のＬＥＤ基板４４−１及び４４−２を使用する。各ＬＥＤ基板４４−１、２は、実施例４と同様にＸ方向を長手方向とした細長のものを用いるものとする。ただし、１つのＬＥＤ基板４４に２列のＬＥＤ列を搭載するため、ＬＥＤ基板４４の幅寸法は実施例４のものよりも大きくしている。
【００４８】
ＬＥＤ３０から出射した光は、実施例４と同様に、拡散板２０とベースシャーシ１０との間の空間を反射、拡散しながら拡散板２０から出射されつつＹ方向に伝搬される。ベースシャーシ１０の内側面は、実施例１と同様に、例えば白色塗装などを施して反射率を高くしている。また、ベースシャーシ１０の底面（ＬＥＤ基板４４と対向する面）の内側前面に反射シートを敷き、この上にＬＥＤ基板４４−１〜２を配置してもよい。このとき、ＬＥＤ基板４４−１〜２にもＬＥＤ搭載面をカバーするように反射シートを設けてもよいし、また白色塗装を施してもよい。
【００４９】
拡散カバー６０、ケース７０からなるハウジング３００は、実施例１の照明装置１００と同じであるため説明は省略する。
【００５０】
かかる実施例５の構成によれば、実施例２、３と同様に照明装置の照射面側から見た輝度分布が左右対称となる。またＬＥＤ３０−２及び３０−３が互いに照明装置の中央を向いているので、この実施例５でも照明装置の中央側の輝度を高くすることができる。
【００５１】
以上のように、本実施例においては、拡散板２０とベースシャーシ１０の間の空気層にて光を伝搬しているため、導光板を用いることなく軽量化を図ることができる。また、照明ブロック８０を複数組み合わせて構成されているので、照明ブロック８０の数（段）を増やせば、Ｙ方向への大型化を図ることができ、また、照明ブロック８０に設けられるＬＥＤ３０の数を増やせば、Ｘ方向への大型化を図ることができる。さらには、ＬＥＤ基板４４の面積を小さくできるため、その分の軽量化を図ることができる。更には、実施例４と比べて、ＬＥＤ基板４４の数を少なくすることができるため、ＬＥＤ基板４４との配線やそのコネクタ（図示せず）を減らすことができるため、低コスト化を図ることができる。照明ブロック毎の光の制御は実施例１と同様に行えることは言うまでも無い。
【実施例６】
【００５２】
次に、本発明の実施例６について、図１２〜図１４を参照して説明する。図１２は、本発明の実施例６における照明装置１０５の断面図である。図１３は、実施例６に係る照明装置１０５について、拡散板２０を外した状態の光源ブロック２０５をＺ方向から見た平面図である。
【００５３】
実施例６の照明装置１０５に用いられる光源ブロック２０５においては、ＬＥＤ基板４５は、実施例１と同様にベースシャーシ１０に例えばネジ止めにより固定される。最左段の照明ブロック８０−１と次の段の照明ブロック８０−２に配置されるＬＥＤ３０−１、ＬＥＤ３０−２は、ＬＥＤ基板４５−１にＺ方向に突出するように多数取り付けられている。照明ブロック８０−３と次の段の照明ブロック８０−４に配置されるＬＥＤ３０−３、ＬＥＤ３０−４は、ＬＥＤ基板４５−２にＺ方向に突出するように多数取り付けられている。奇数ブロックのＬＥＤ３０−１、ＬＥＤ３０−３の光の出射方向はＹ方向−側、偶数ブロックのＬＥＤ３０−２、ＬＥＤ３０−４の光の出射方向はＹ方向＋側としている。
【００５４】
図に示すように、ＬＥＤ３０−１、ＬＥＤ３０−２は、Ｙ方向においてほぼ同じ位置に交互に配置している。また、ＬＥＤ３０−３、ＬＥＤ３０−４においても、同様に、Ｙ方向においてほぼ同じ位置に交互に配置している。
【００５５】
実施例１〜５では、１つのＬＥＤ列に含まれる複数のＬＥＤは、光出射方向が全て同じ向きであったが、本実施例では、Ｘ方向に隣接するＬＥＤの光出射方向を互いに逆方向にしている。すなわち、Ｙ方向＋側に光を出射するＬＥＤと、Ｙ方向−側に光を出射するＬＥＤとをＸ方向に沿って交互に配置したものである。この実施例では、各ＬＥＤ列に対して、それぞれ別のＬＥＤ基板４５−１及び４５−２を使用する。ＬＥＤ基板４４−１、２は、実施例４と同様にＸ方向を長手方向とした細長のものを用いるものとする。ＬＥＤ基板４５−１及び４５−２の幅寸法は、実施例４のものと略同じとする。
【００５６】
本実施例における遮光パターン９０の一例を図１４に示す。図１４に示すように、ＬＥＤ３０の位置、光の出射方向に合わせて、ＬＥＤ３０−１用の遮光パターン９０−１と、ＬＥＤ３０−２用の遮光パターン９０−２を交互に配置している。すなわち、図示されるように、長い放射状の突起を有する側が交互に逆向きになっている
ＬＥＤ３０から出射した光は、実施例４乃至実施例６と同様に、拡散板２０とベースシャーシ１０との間の空間を反射、拡散しながら拡散板２０から出射されつつＹ方向に伝搬される。ベースシャーシ１０の内側面は、実施例１と同様に、例えば白色塗装などを施して反射率を高くしている。また、ベースシャーシ１０の底面（ＬＥＤ基板４４と対向する面）の内側前面に反射シートを敷き、この上にＬＥＤ基板４５−１〜２を配置してもよい。このとき、ＬＥＤ基板４５−１〜２にもＬＥＤ搭載面をカバーするように反射シートを設けてもよいし、また白色塗装を施してもよい。
【００５７】
拡散カバー６０、ケース７０からなるハウジング３００は、実施例１の照明装置１００と同じであるため説明は省略する。
【００５８】
以上のように、本実施例においては、拡散板２０とベースシャーシ１０の間の空気層にて光を伝搬しているため、導光板を用いることなく軽量化を図ることができる。また、照明ブロック８０を複数組み合わせて構成されているので、照明ブロック８０の数（段）を増やせば、Ｙ方向への大型化を図ることができ、また、照明ブロック８０に設けられるＬＥＤ３０の数を増やせば、Ｘ方向への大型化を図ることができる。さらには、実施例５と同様に、ＬＥＤ基板４５の数を少なくすることができるため、ＬＥＤ基板４５との配線やそのコネクタ（図示せず）を減らすことができるため、低コスト化を図ることができる。また、実施例５と比べて更にＬＥＤ基板４５の面積を小さくすることができるため、軽量化を図ることができる。照明ブロック毎の光の制御は実施例１と同様に行えることは言うまでも無い。
【実施例７】
【００５９】
次に、本発明の実施例７について、図１５を参照して説明する。図１５は、本発明の実施例７における照明装置１０６の断面図である。
【００６０】
実施例７の照明装置１０６に用いられる光源ブロック２０６においては、ＬＥＤ基板４６は、実施例１と同様にベースシャーシ１０に例えばネジ止めにより固定される。最左段の照明ブロック８０−１にはＬＥＤ３０−１が設けられ、ＬＥＤ基板４６にＬＥＤ３０−１がＺ方向に突出するように多数取り付けられている。照明ブロック８０−２、照明ブロック８０−３、照明ブロック８０−４も同様である。ＬＥＤ３０の光の出射方向は、実施例１と同様にＹ方向の＋側である。このＬＥＤ３０−１、ＬＥＤ３０−２、ＬＥＤ３０−３、ＬＥＤ３０−４の配置は、Ｘ方向に同様に並べられる。
【００６１】
そして本実施例では、ＬＥＤ基板４６のＬＥＤ３０搭載面側に、ベースシャーシ１０の内面形状と相似の形状を有する反射シート５０を配置している。すなわち、本実施例では、ＬＥＤ基板４６のＬＥＤ搭載面及びベースシャーシ１０の傾斜された側面への反射機能を、１つの反射シート５０により共通して付加するようにしている。反射シート５０の外形は、ベースシャーシ１０の内面形状と略同じであり、ＬＥＤ３０に対応する位置に孔が空いたシートである。反射シート外周部５０−１は、折り曲げることにより、ベースシャーシ１０の傾斜された側面の内面と略同形状となるようにしている。ＬＥＤ３０が固定保持されたＬＥＤ基板４６をベースシャーシ１０に取り付けた後に、両面テープなどで反射シート５０をＬＥＤ基板４６、ベースシャーシ１０に貼り付けて固定している。
【００６２】
ＬＥＤ３０から出射した光は、拡散板２０と反射シート５０との間の空間を反射、拡散しながら拡散板２０から出射されつつＹ方向に伝搬される。外周部に漏れた光は反射シート外周部５０−１により出射方向（Ｚ方向）に反射させている。反射シート５０の反射率は、ＬＥＤ基板４０やベースシャーシ１０の反射面に施された白塗装などの反射率よりも高いため、光の伝搬ロスを減らすことができる。すなわち、上記実施例１などの光源ブロック２００と比べて輝度が高くできるため、ＬＥＤ３０の間隔を大きくし、ＬＥＤ３０の総数を減らしても、所定輝度を確保できる場合がある。この場合、減らしたＬＥＤ３０分のコスト低減と、それに使用する電力分の省電力化を図ることができる。また、ＬＥＤ３０の数はそのままで、ＬＥＤ３０に印加する電圧を下げて、省電力化を図ってもよい。また、ベースシャーシ１０の傾斜側面とＬＥＤ基板４６の反射を共通化しているため、コストの低減にも有利である。
【００６３】
また、拡散板２０と反射シート５０の間の空気層にて光を伝搬しているため、導光板を用いることなく軽量化を図ることができる。また、照明ブロック８０を複数組み合わせて構成されているので、照明ブロック８０の数（段）を増やせば、Ｙ方向への大型化を図ることができ、また、照明ブロック８０に設けられるＬＥＤ３０の数を増やせば、Ｘ方向への大型化を図ることができる。さらには、ＬＥＤ基板４６については、安価な汎用の基板を用いることが出来る。また、白塗装など施す必要もない。また、ベースシャーシ１０の内面については、反射率を向上させる白塗装などの処理を省略することが可能となる。
【００６４】
なお、上記実施例においては、ベースシャーシ１０の外周部にも、反射シート５０を延長して反射シート外周部５０−１を設けているが、平面部（ＬＥＤ基板４６部）のみを反射シート５０で覆う形状とし、外周部はベースシャーシ１０の内側面自身の反射を利用してもよい。照明ブロック毎の光の制御は実施例１と同様に行えることは言うまでも無い。
【実施例８】
【００６５】
次に、本発明の実施例８について、図１６を参照して説明する。図１６は、本発明の実施例８における照明装置１０７の断面図である。既に説明した図１乃至図１５に示された同一の符号を付された要素と同一の作用または機能を有する要素については説明を省略する。
【００６６】
実施例８の照明装置１０７においては、ケース７１、拡散カバー６１からなるハウジング３０１の内部に、２つの光源ブロック２００−１、２００−２を配置したものである。２つの光源ブロック２００−１、２００−２として、本例では実施例１のものを用いている。本実施例によれば、１つのハウジング３０１に、２つの光源ブロック２００を配置することにより、略２倍の大きさの照明装置１０７とすることができる。
【００６７】
以上のように、ハウジング３０１内に複数の光源ブロック２００を配置することにより、容易に大型化に対応することができる。また、光源ブロック２００を３個以上配置すると、より大型の照明装置とすることができることは言うまでもない。
【００６８】
なお、上記実施例においては、実施例１の光源ブロック２００を複数配置した場合について説明したが、これに限定されるものではなく、他の実施例に用いた光源ブロック２０１乃至光源ブロック２０６を複数あるいは組み合わせて配置してもよい。実施例１乃至実施例７のいずれかの光源ブロックを用いれば、上記実施例１〜７のいずれかと同様な効果が得られることは言うまでもない。
【実施例９】
【００６９】
次に、本発明の実施例９について、図１７を参照して説明する。図１７は、本発明の実施例９における照明装置１０８の断面図である。  実施例９の照明装置１０８に用いられる光源ブロック２０７においては、図１の光源ブロック２００に対して遮光パターン９０を省略したものである。よって、光源ブロック２０７の構成、機能についての詳細説明は省略する。
【００７０】
実施例９の照明装置１０８は、例えば天井に埋め込む場合など、照明装置用の厚さ方向（Ｚ方向）のスペースを大きく確保できる場所に設置する場合に用いることができる照明装置である。図１６に示すように、ケース７２のＺ方向を大きくし、拡散板２０と拡散カバー６２との距離Ｈ２を大きくしている。この距離Ｈ２は図３のＨ１よりも大きく、例えば、光源ブロックの厚さ（ベースシャーシ１０の背面から拡散板２０の光射面までの距離）の２倍〜５倍程度とする。しかしながら、これに限られるものではない。距離Ｈ２を大きくしたことにより、拡散板２０部で大きな輝度むらがあっても、拡散カバー６２部では均一化されるため、上気したように遮光パターン９０を省略することができる。これにより、拡散板２０に遮光パターン９０を印刷する工程を省くことができるため、低コスト化を図ることができる。
【００７１】
なお、上記実施例においては、実施例１の光源ブロック２００の遮光パターン省略した場合について説明したが、これに限定されるものではなく、他の実施例に用いた光源ブロック２０１乃至光源ブロック２０６のいずれかの、遮光パターンを省略したものを配置してもよい。実施例１〜７のいずれかの光源ブロックを用いた照明装置でれば、上記実施例１〜７のいずれかと同様な効果が得られることは言うまでもない。
【実施例１０】
【００７２】
次に、本発明の実施例９について、図１８及び図１９を参照して説明する。図１８は、本発明の実施例１０おける照明装置１０９の断面図である。図１９は、実施例１０に係る照明装置１０９について、拡散板２０を外した状態の光源ブロック２０８をＺ方向から見た平面図である。
【００７３】
上記実施例１〜９では、ベースシャーシ１０はＺ方向に開口を向いた、箱形状、枡形状あるいはトレイ形状を有しているものとしたが、本実施例のベースシャーシ１１は平板状としている。ベースシャーシ１１の照射方向側の面には、照射方向側に開口を向けた、箱形状、枡形状あるいはトレイ形状に形成された反射シート５１が載置されている。反射シート５１は、例えば白色の樹脂材料により構成されている。すなわち、本実施例では、実施例１〜９とは異なり、光源ブロック２０８の筐体を金属製のベースシャーシでは無く、例えば樹脂製の反射シート５１で構成しているものである。
【００７４】
拡散板２０は、図示されるように、反射シート５１の開口を覆うように配置されており、拡散板２０の角部４箇所において、ネジ９６により反射シート５１とともにベースシャーシ１１にネジ止めされ固定される。反射シート５１の底面には、ＬＥＤが実装された２つのＬＥＤ基板４６−１、４６−２が例えば別のネジ或いは接着剤等により取付けられている。また反射シート５１の底面と拡散板２０との間には筒状のスペーサ９５が設けられており、この筒状スペーサ９５を介して拡散板２０と反射シート５１がネジ９６によりベースシャーシ１１に固定される。すなわち、ネジ９６は、拡散板２０の孔、筒状スペーサ９５、反射シート５１の孔を通して、ベースシャーシ１１に設けられたネジ孔にねじ込みされる。これによって、反射シート５１の底面と拡散板２０との間に、筒状スペーサ９５の高さと同じ距離の空間を保つようにしている。
【００７５】
また、図示のようにＬＥＤ基板は２つの基板４６−１及び４６−２で構成されており、これらは反射シート５１の底面を介して例えばネジによりベースシャーシ１１に固定される。ここで、ＬＥＤ基板４６−１及び４６−２の合計面積は、図１９に示されるように反射シート５１の底面の面積よりも小さくされており、反射シート５１の底面の、ＬＥＤ基板４６−１及び４６−２の外側の領域でネジ９５による拡散板２０及び反射シート５１のベースシャーシ１１へのネジ止め及び固定が為されている。本実施例では、ＬＥＤ基板４６−１及び４６−２のそれぞれに２つのＬＥＤ列が実装されており、各ＬＥＤ列におけるＬＥＤの光放出方向は、全て同じ向きとしている。しかしながら、図１１や図１３に示されたＬＥＤの配置も適用できることは言うまでも無い。
【００７６】
このような本実施例の構成によれば、光源ブロック２０８の筐体を樹脂製の反射シート５１で構成しているため、光源ブロック２０８及びこれを用いた照明装置を軽量化することができる。本実施例では、反射シート５１は白色の材料としたが、内面が光を反射できる構成であれば、どのような形態であってもよい。例えば、内面のみ白色塗装を施したものであってもよい。
【実施例１１】
【００７７】
次に、本発明の実施例１１について、図２０及び図２１を参照して説明する。図２０は、本実施例に係るＬＥＤ列の回路構成又は接続構成の一例を示している。
【００７８】
図２０において、ＬＥＤ基板（ここでは図示せず）上には、複数の（図２０では６個）ＬＥＤ３０が物理的に一列に配列されたＬＥＤ列が４列実装されている。図２０では、各ＬＥＤ列を符号３５−１〜３５−４で示している。ここで、１つのＬＥＤ列３５におけるＬＥＤ（図２０では６個）の全てを直列接続すると、そのうちの１つでも故障等により断線状態になると、全てのＬＥＤへの電流の供給が遮断されてしまう。すなわち、この場合は、ＬＥＤ列のうち１つのＬＥＤが断線状態になると、全てのＬＥＤを点灯させることができなくなる。
【００７９】
そこで本実施例では、ＬＥＤ列３５−１〜４のそれぞれについて、先頭（端）から２ｎ−１番目（ここでｎは１以上の整数）のＬＥＤ３０を直列接続して第１のＬＥＤ直列回路３６−１〜４を構成し、２ｎ番目のＬＥＤ３０を直列接続して第１のＬＥＤ直列回路３６−１〜４とは別の第２のＬＥＤ直列回路３７−１〜４を構成した。そして、第１のＬＥＤ直列回路３６−１〜４と第２のＬＥＤ直列回路３７−１〜４とを並列接続している。換言すれば、本実施例は、第１のＬＥＤ直列回路３６−１〜４と第２のＬＥＤ直列回路３７−１〜４とを並列接続し、第１のＬＥＤ直列回路３６−１〜４が有するＬＥＤ３０と、第２のＬＥＤ直列回路３７−１〜４が有するＬＥＤ３とを、交互に一列に配置してＬＥＤ列３５を構成したものである。
【００８０】
このように構成すれば、例えばＬＥＤ列３５−１が有する複数のＬＥＤ３０のうち、例えば第１のＬＥＤ直列回路３６−１に属するＬＥＤ３０のうち一つが故障等により断線状態になっても、第２のＬＥＤ直列回路３７には電流を供給することができるため、ＬＥＤ列における全てのＬＥＤが消灯することを回避することができる。また、第１のＬＥＤ直列回路３６が有するＬＥＤ３０と、第２のＬＥＤ直列回路３７が有するＬＥＤ３０とを交互に配置しているため、仮に第１のＬＥＤ直列回路３６のＬＥＤ３０が故障等により消灯したとしても、残りのＬＥＤ（すなわち第２のＬＥＤ直列回路３７が有するＬＥＤ３０）の点灯による空間的な発光分布の偏りを低減することができる。
【００８１】
図２１は、本実施例に係るＬＥＤ列の回路構成又は接続構成の他の例を示している。この例は、第１のＬＥＤ直列回路３６−１ａが有するＬＥＤと第２のＬＥＤ直列回路３７−１ａが有するＬＥＤとを交互に一列に配置して構成した第１のＬＥＤ列３５−１ａと、第１のＬＥＤ直列回路３６−１ｂが有するＬＥＤと第２のＬＥＤ直列回路３７−１ｂが有するＬＥＤとを交互に一列に配置して構成した第２のＬＥＤ列３５−１ｂとを、ＬＥＤの配列方向に沿って並べて配置して、より多くのＬＥＤを有するＬＥＤ列３５０−１を構成したものである。他のＬＥＤ列３５０−２〜４も同様な構成を有している。ＬＥＤの個数は、図示のものに限られるものではない。
【００８２】
この例も図２０の例と同様に、第１のＬＥＤ直列回路３６−１ａと第２のＬＥＤ直列回路３７−１ａとは並列接続されており、第１のＬＥＤ直列回路３６−１ｂと第２のＬＥＤ直列回路３７−１ｂも並列接続されている。第１のＬＥＤ列３５−１ａを構成する２つのＬＥＤ直列回路（３６−１ａ及び３６−１ｂ）と、第２のＬＥＤ列３５−１ｂを構成する２つのＬＥＤ直列回路（３７−１ａ及び３７−１ｂ）もまた、並列接続されている。すなわち、この例では、ＬＥＤ列３５０−１は、４つのＬＥＤ直列回路（３６−１ａ、３６−１ｂ、３７−１ａ及び３７−１ｂ）を備えている。
【００８３】
また、図２１のＬＥＤ列３５０−１において、「×」マーク３３は、ＬＥＤが実装される配線パターンが形成されているが、実際にはＬＥＤが実装されていない箇所を示している。すなわち、この例は、第２のＬＥＤ直列回路３７−１ａ、３７−１ｂの全てのＬＥＤを実装しない構成としている。
【００８４】
かかる構成によれば、用途に応じてＬＥＤの実装個数を調整することができる。例えば、広い面積の領域を高輝度に照明する用途に当該照明装置を使用する場合は、第１のＬＥＤ直列回路及び第２のＬＥＤ直列回路の全てにＬＥＤを実装或いは接続し、高輝度を必要としない用途に当該照明装置を使用する場合は、第１のＬＥＤ直列回路または第２のＬＥＤ直列回路のいずれかについて、ＬＥＤを実装又は接続しないようにする。すなわち、この例の構成によれば、用途に応じてＬＥＤの実装個数を調整できるので、用途別に異なる照明装置を設計・製造する工程が低減され、照明装置のコストを大幅に削減することができる。また第１のＬＥＤ直列回路が有するＬＥＤと第２のＬＥＤ直列回路が有するＬＥＤとが交互に配置されているので、第１又は第２のＬＥＤ直列回路のいずれかにＬＥＤを実装又は接続しない場合でも、照明光の空間的な輝度分布の均一性を維持することが可能となる。
【００８５】
このように、実施例１０の構成によれば、ＬＥＤ列の中の一つのＬＥＤが故障した場合でも照明光の照射することができるとともに、そのときの照明光の空間的な輝度輝度分布の均一性を維持することが可能となる。更に、ＬＥＤの個数を調整することが容易となり、またＬＥＤ個数を減少させた場合（つまり第１または第２のＬＥＤ直列回路のいずれかにＬＥＤを実装又は接続しない場合）でも、照明光の空間的な輝度輝度分布の均一性を維持することが可能となる。
【００８６】
本実施例は、図２０または図２１のようなＬＥＤの配列に限らず、例えば図１１や図１３のＬＥＤ配列にも適用可能であることは言うまでも無い。当然、実施例１〜１０の各構成を本実施例に適宜適用することも可能である。
【実施例１２】
【００８７】
次に、本発明の実施例１２について、図２２（ａ）及び（ｂ）を参照して説明する。図２２（ａ）は、拡散板２１のＹＺ平面の断面を示し、図２２（ｂ）は、ＹＺ平面の断面を示している。
【００８８】
図３に示された実施例１に係る拡散板２０は、そのＬＥＤ３０側の面に、ＹＺ平面の断面が三角形状の凸部及び凹部（プリズム）がＹ方向に延びて形成されているが、本実施例に係る拡散板２１ではＸ方向に延びて形成されている。すなわち、本実施例に係る拡散板２１は、そのＬＥＤ３０（Ｚ方向上）側の面（光入射面）に三角形状の凸部及び凹部（プリズム）を有しており、そのプリズムは、Ｘ方向、すなわちＬＥＤの光放出方向と平行な方向に複数配列されており、かつＹ方向、すなわちＬＥＤの光放出方向と直交する方向に延びて形成されている。
【００８９】
かかる構成によれば、拡散板２１に入射された光は、プリズムの延伸方向（Ｘ方向）に沿ってプリズムの凹部で反射されながら伝播されるため、ＬＥＤ列におけるＬＥＤ相互間の部分にも光を十分に供給することができる。このため、本実施例によれば、ＬＥＤ相互間のにおける相対的な輝度低下を抑制することができる。また、プリズムのＬＥＤ側の面に入射される光は、図３の拡散板２０のプリズムの各面に入射される光に比べて入射角が小さくなる。このため、拡散板２１のプリズムのＬＥＤ側の面に入射する光のうち、当該ＬＥＤ側の面から拡散板２１の内部に入射される光の方が、当該ＬＥＤ側の面によって全反射される光よりも多くなる。この拡散板２１の内部に入射された光は、拡散板２１の内部を拡散及び反射しながらＹ方向に伝播或いは導光される。よって、本実施例によれば、図３の拡散板２０に比べて、より照明ブロック先端まで光が伝播し易くなり、１つの照明ブロックにおけるＹ方向の輝度むらをより低減することが可能となる。
【００９０】
なお、上記実施例１乃至実施例１２の照明装置においては、ケース７０（７１、７２）を照明装置用に配置しているが、拡散板２０または２１と所定距離Ｈ１（Ｈ２）離れた位置に拡散カバー６０（６１、６２）が配置できればよいため、建物など別の構造物の一部を用いて拡散カバー６０（６１、６２）を固定保持してもよい。
【００９１】
上述した各実施例は、必要に応じて任意に組み合わせることが可能である。また各実施例において、白色ＬＥＤに代えてＲＧＢの３原色のＬＥＤを用い、ユーザの指示により全体の照明光、又は照明ブロック毎に照射光の色合いを調節できるようにしてもよい。
【符号の説明】
【００９２】
１０  ベースシャーシ
２０、２１  拡散板
３０  ＬＥＤ
３５、３５０  ＬＥＤ列
３６  第１のＬＥＤ直列回路
３７  第２のＬＥＤ直列回路
４０、４１、４２、４３、４４、４５、４６  ＬＥＤ基板
５０  反射シート
６０、６１、６２  拡散カバー
７０、７１、７２  ケース
９５  筒状スペーサ
１００、１０１、１０２、１０３、１０４、１０５、１０６、１０７、１０８  照明装置
２００、２０１、２０２、２０３、２０４、２０５、２０６  光源ブロック
３００、３０１、３０２  ハウジング
【図１】
2013211245.tif 000003
【図２】
2013211245.tif 000004
【図３】
2013211245.tif 000005
【図４】
2013211245.tif 000006
【図５】
2013211245.tif 000007
【図６】
2013211245.tif 000008
【図７】
2013211245.tif 000009
【図８】
2013211245.tif 000010
【図９】
2013211245.tif 000011
【図１０】
2013211245.tif 000012
【図１１】
2013211245.tif 000013
【図１２】
2013211245.tif 000014
【図１３】
2013211245.tif 000015
【図１４】
2013211245.tif 000016
【図１５】
2013211245.tif 000017
【図１６】
2013211245.tif 000018
【図１７】
2013211245.tif 000019
【図１８】
2013211245.tif 000020
【図１９】
2013211245.tif 000021
【図２０】
2013211245.tif 000022
【図２１】
2013211245.tif 000023
【図２２】
2013211245.tif 000024